(57)【特許請求の範囲】
【請求項１】
複数の移動体通信網及びＩＰ網を介した移動情報端末装置とＩＰ電話可能な情報端末装置との間の通信システムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、
前記移動情報端末装置は、
所定時間測定された複数の前記移動体通信網の各基地局からの電波強度の軌跡を所定のタイミングで前記センタ側サーバへ送信する電波強度送信手段と、
選択中の基地局からの電波強度が弱くなってきた場合、前記センタ側サーバに、前記電波強度送信手段により送信した電波強度の軌跡と相関付けられた分析記録部の分析内容を要求する分析内容要求手段と、
前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容に基づき、切替先の基地局を選択する基地局選択手段と、
前記基地局選択手段により選択された基地局への切替を前記センタ側サーバへ要求する基地局切替要求手段とを備え、
前記センタ側サーバは、
前記分析内容要求手段の要求に基づき、前記電波強度送信手段により送信された電波強度の軌跡と相関付けられた分析内容を前記分析記録部から検索し、該検索された分析内容を前記移動情報端末装置側へ送信する分析内容送信手段と、
前記基地局切替要求手段により切替を要求された基地局に前記移動情報端末装置と前記情報端末装置との間の通信を切替える基地局切替手段とを備えたことを特徴とする通信システム。
【請求項２】
請求項１記載の通信システムにおいて、前記分析内容における通信の安定さは、基地局切替後所定時間のエラー率に基づくことを特徴とする通信システム。
【請求項３】
請求項１又は２記載の通信システムにおいて、前記移動情報端末装置は、前記基地局切替手段により切替えられた基地局と該移動情報端末装置との間の通信状態を前記センタ側サーバへ通知する通知手段をさらに備えたことを特徴とする通信システム。
【請求項４】
請求項１乃至３のいずれかに記載の通信システムにおいて、前記基地局選択手段は、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容から、切替えられた基地局と前記移動情報端末装置との間の通信状態が最適な電波状態の基地局を切替先の基地局として選択することを特徴とする通信システム。
【請求項５】
複数の移動体通信網及びＩＰ網を介して移動情報端末装置がＩＰ電話可能な情報端末装置と通信を行うための通信プログラムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、
該移動情報端末装置のコンピュータを、
所定時間測定された複数の前記移動体通信網の各基地局からの電波強度の軌跡を所定のタイミングで前記センタ側サーバへ送信する電波強度送信手段、
選択中の基地局からの電波強度が弱くなってきた場合、前記センタ側サーバに、前記電波強度送信手段により送信した電波強度の軌跡と相関付けられた分析記録部の分析内容を要求する分析内容要求手段、
前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容に基づき、切替先の基地局を選択する基地局選択手段、
前記基地局選択手段により選択された基地局への切替を前記センタ側サーバへ要求する基地局切替要求手段として機能させるための通信プログラムであって、前記サーバにより、切替を要求された基地局に前記移動情報端末装置と前記情報端末装置との間の通信が切替えられることを特徴とする通信プログラム。
【請求項６】
請求項５記載の通信プログラムにおいて、前記分析内容における通信の安定さは、基地局切替後所定時間のエラー率に基づくことを特徴とする通信プログラム。
【請求項７】
請求項５又は６記載の通信プログラムにおいて、前記移動情報端末装置は、前記基地局切替手段により切替えられた基地局と該移動情報端末装置との間の通信状態を前記センタ側サーバへ通知する通知手段をさらに備えたことを特徴とする通信プログラム。
【請求項８】
請求項５乃至７のいずれかに記載の通信プログラムにおいて、前記基地局選択手段は、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容から、切替えられた基地局と前記移動情報端末装置との間の通信状態が最適な電波状態の基地局を切替先の基地局として選択することを特徴とする通信プログラム。
【請求項９】
複数の移動体通信網及びＩＰ網を介して移動情報端末装置とＩＰ電話可能な情報端末装置とが通信を行うための通信プログラムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、送信後に該移動情報端末装置により選択され該センタ側サーバにより切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、該センタ側サーバのコンピュータを、
前記移動情報端末装置により、所定時間測定された複数の前記移動体通信網の各基地局からの電波強度の軌跡が所定のタイミングで前記センタ側サーバへ送信され、選択中の基地局からの電波強度が弱くなってきた場合、前記センタ側サーバに、送信した電波強度の軌跡と相関付けられた通信状態の送信が要求され、該要求に基づき、送信された電波強度の軌跡と相関付けられた通信状態を前記分析記録部から検索し、該検索した通信状態を前記移動情報端末装置側へ送信する通信状態送信手段、
前記移動情報端末装置により、前記通信状態送信手段によって該移動情報端末装置へ送信された通信状態に基づき、切替先の基地局が選択され、選択された基地局への切替が前記センタ側サーバへ要求され、切替を要求された基地局に前記移動情報端末装置と前記情報端末装置との間の通信を切替える基地局切替手段として機能させるための通信プログラム。
【請求項１０】
請求項５乃至９のいずれかに記載の通信プログラムを記録したコンピュータ読取り可能な記録媒体。
【請求項１１】
複数の移動体通信網とＩＰ網とを介した移動情報端末装置からＩＰ電話可能な情報端末装置への通信方法であって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、
前記移動情報端末装置が、
所定時間測定された複数の前記移動体通信網の各基地局からの電波強度の軌跡を所定のタイミングで前記センタ側サーバへ送信する電波強度送信ステップと、
選択中の基地局からの電波強度が弱くなってきた場合、前記センタ側サーバに、前記電波強度送信ステップで送信した電波強度の軌跡と相関付けられた分析記録部の分析内容を要求する分析内容要求ステップと、
前記センタ側サーバが、前記分析内容要求ステップの要求に基づき、前記電波強度送信ステップで送信された電波強度の軌跡と相関付けられた分析内容を前記分析記録部から検索し、該検索された分析内容を前記移動情報端末装置側へ送信する分析内容送信ステップと、
前記移動情報端末装置が、
前記分析内容送信ステップで送信された分析内容に基づき、切替先の基地局を選択する基地局選択ステップと、
前記基地局選択ステップで選択された基地局への切替を前記センタ側サーバへ要求する基地局切替要求ステップと、
前記センタ側サーバが、前記基地局切替要求ステップで切替を要求された基地局に前記移動情報端末装置と前記情報端末装置との間の通信を切替える基地局切替ステップとを備えたことを特徴とする通信方法。
【請求項１２】
請求項１１記載の通信方法において、前記分析内容における通信の安定さは、基地局切替後所定時間のエラー率に基づくことを特徴とする通信方法。
【請求項１３】
請求項１１又は１２記載の通信方法において、前記基地局切替ステップに続き、切替えられた基地局と前記移動情報端末装置との間の通信状態を前記センタ側サーバへ通知する通知ステップをさらに備えたことを特徴とする通信方法。
【請求項１４】
請求項１１乃至１３のいずれかに記載の通信方法において、前記基地局選択ステップは、前記分析内容送信ステップで送信された分析内容から、切替えられた基地局と前記移動情報端末装置との間の通信状態が最適な電波状態の基地局を切替先の基地局として選択することを特徴とする通信方法。
【発明の詳細な説明】
【技術分野】
【０００１】
本発明は、複数の移動体通信網及びＩＰ（Internet Protocol）網を介した移動情報端末装置とＩＰ電話可能な情報端末装置との間の通信システム等に関する。
【背景技術】
【０００２】
近年、既存の移動通信事業者（Mobile Network Operator : ＭＮＯ）の移動体通信網を活用した仮想移動体通信事業者（Mobile Virtual Network Operator : ＭＶＮＯ）の多様なサービス提供が進められている（非特許文献１参照）。特に、ＭＮＯの複数の移動体通信網を１移動局で横断利用するという基地局の切替サービスが注目されている。ここで、１つのＭＮＯに閉じた場合を考えてみると、移動局の位置および基地局の位置は当該ＭＮＯが管理している。基地局の切替タイミングも当該ＭＮＯのロジックにより判断している。しかし、ＭＶＮＯが複数の移動体通信網を１移動局で横断利用するという基地局のサービスを提供する場合、各ＭＮＯは契約約款に基づく契約上、他社に移動局の位置情報を公開しないため、当該ＭＶＮＯは移動局の位置管理を行うことができない。このため、移動局の位置情報から最適な切替先の基地局を選択することができないという問題があった。この問題を解決するために、移動局の移動経路をＧＰＳ（Global Positioning System）を利用し地図情報を参照して予測する従来からの技術（特許文献１参照）を応用して、移動局の位置、速度および移動方向を推定することが考えられる。
【０００３】
【非特許文献１】総務省総合通信基盤局、“ＭＶＮＯに係る電気通信事業法及び電波法の適用関係に関するガイドライン”、［online］、平成１６年４月、［平成１８年４月１０日検索］、インターネット<URL: http://www.soumu.go.jp/s-news/2002/pdf/020611_2a_3.pdf>
【特許文献１】特開２００４−２２８８８１号公報
【発明の開示】
【発明が解決しようとする課題】
【０００４】
しかし、ＧＰＳを利用する場合、移動局がＧＰＳユニットを搭載している必要がある。このため、ＧＰＳユニットを搭載していない移動局の場合、ＭＶＮＯは移動局の位置、速度および移動方向を推定することができず、移動局の位置から最適な切替先の基地局を選択することができないという問題があった。
【０００５】
そこで、本発明の目的は、上記問題を解決するためになされたものであり、ＭＶＮＯが複数の移動体通信網を１移動局で横断利用するという基地局の切替サービスを提供する場合、ＧＰＳユニットを搭載していない移動局の場合であってもＭＮＯが管理する移動局の位置情報を必要とせずに移動局の位置、速度および移動方向を推定することができ、最適な切替先の基地局を選択することができる通信システム等を提供することにある。
【課題を解決するための手段】
【００１０】
この発明の通信システムは、複数の移動体通信網及びＩＰ網を介した移動情報端末装置とＩＰ電話可能な情報端末装置との間の通信システムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、前記移動情報端末装置は、所定時間測定された複数の前記移動体通信網の各基地局からの電波強度の軌跡を所定のタイミングで前記センタ側サーバへ送信する電波強度送信手段と、選択中の基地局からの電波強度が弱くなってきた場合、前記センタ側サーバに、前記電波強度送信手段により送信した電波強度の軌跡と相関付けられた分析記録部の分析内容を要求する分析内容要求手段と、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容に基づき、切替先の基地局を選択する基地局選択手段と、前記基地局選択手段により選択された基地局への切替を前記センタ側サーバへ要求する基地局切替要求手段とを備え、前記センタ側サーバは、前記分析内容要求手段の要求に基づき、前記電波強度送信手段により送信された電波強度の軌跡と相関付けられた分析内容を前記分析記録部から検索し、該検索された分析内容を前記移動情報端末装置側へ送信する分析内容送信手段と、前記基地局切替要求手段により切替を要求された基地局に前記移動情報端末装置と前記情報端末装置との間の通信を切替える基地局切替手段とを備えたことを特徴とする。
【００１１】
ここで、この発明の通信システムにおいて、前記分析内容における通信の安定さは、基地局切替後所定時間のエラー率に基づくことができる。
【００１２】
ここで、この発明の通信システムにおいて、前記移動情報端末装置は、前記基地局切替手段により切替えられた基地局と該移動情報端末装置との間の通信状態を前記センタ側サーバへ通知する通知手段をさらに備えることができる。
ここで、この発明の通信システムにおいて、前記基地局選択手段は、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容から、切替えられた基地局と前記移動情報端末装置との間の通信状態が最適な電波状態の基地局を切替先の基地局として選択することができる。
【００１８】
この発明の通信プログラムは、複数の移動体通信網及びＩＰ網を介して移動情報端末装置がＩＰ電話可能な情報端末装置と通信を行うための通信プログラムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、該移動情報端末装置のコンピュータを、所定時間測定された複数の前記移動体通信網の各基地局からの電波強度の軌跡を所定のタイミングで前記センタ側サーバへ送信する電波強度送信手段、選択中の基地局からの電波強度が弱くなってきた場合、前記センタ側サーバに、前記電波強度送信手段により送信した電波強度の軌跡と相関付けられた分析記録部の分析内容を要求する分析内容要求手段、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容に基づき、切替先の基地局を選択する基地局選択手段、前記基地局選択手段により選択された基地局への切替を前記センタ側サーバへ要求する基地局切替要求手段として機能させるための通信プログラムであって、前記サーバにより、切替を要求された基地局に前記移動情報端末装置と前記情報端末装置との間の通信が切替えられることを特徴とする。
【００１９】
ここで、この発明の通信プログラムにおいて、前記分析内容における通信の安定さは、基地局切替後所定時間のエラー率に基づくことができる。
【００２０】
ここで、この発明の通信プログラムにおいて、前記移動情報端末装置は、前記基地局切替手段により切替えられた基地局と該移動情報端末装置との間の通信状態を前記センタ側サーバへ通知する通知手段をさらに備えることができる。
ここで、この発明の通信プログラムにおいて、前記基地局選択手段は、前記分析内容要求手段による要求に基づき、前記センタ側サーバにより、前記電波強度送信手段により送信された電波強度の軌跡と相関付けられた分析内容が前記分析記録部から検索され、該検索された分析内容が前記移動情報端末装置側へ送信され、該送信された分析内容から、切替えられた基地局と前記移動情報端末装置との間の通信状態が最適な電波状態の基地局を切替先の基地局として選択することができる。
【００２１】
この発明の通信プログラムは、複数の移動体通信網及びＩＰ網を介して移動情報端末装置とＩＰ電話可能な情報端末装置とが通信を行うための通信プログラムであって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、送信後に該移動情報端末装置により選択され該センタ側サーバにより切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、該センタ側サーバのコンピュータを、前記移動情報端末装置により、所定時間測定された複数の前記移動体通信網の各基地局からの電波強度の軌跡が所定のタイミングで前記センタ側サーバへ送信され、選択中の基地局からの電波強度が弱くなってきた場合、前記センタ側サーバに、送信した電波強度の軌跡と相関付けられた通信状態の送信が要求され、該要求に基づき、送信された電波強度の軌跡と相関付けられた通信状態を前記分析記録部から検索し、該検索した通信状態を前記移動情報端末装置側へ送信する通信状態送信手段、前記移動情報端末装置により、前記通信状態送信手段によって該移動情報端末装置へ送信された通信状態に基づき、切替先の基地局が選択され、選択された基地局への切替が前記センタ側サーバへ要求され、切替を要求された基地局に前記移動情報端末装置と前記情報端末装置との間の通信を切替える基地局切替手段として機能させるための通信プログラムである。
【００２２】
この発明の記録媒体は、請求項５乃至９のいずれかに記載の通信プログラムを記録したコンピュータ読取り可能な記録媒体である。
【００２７】
この発明の通信方法は、複数の移動体通信網とＩＰ網とを介した移動情報端末装置からＩＰ電話可能な情報端末装置への通信方法であって、該情報端末装置はＩＰ網を介してセンタ側サーバと接続され、該移動情報端末装置は移動体通信網及びＩＰ網を介して該センタ側サーバと通信可能であり、該センタ側サーバは、予め複数の移動情報端末装置により所定時間測定され該センタ側サーバへ送信された移動体通信網の基地局からの電波強度の軌跡を記録し、該基地局及び送信後に該移動情報端末装置により選択され該センタ側サーバにより切替えられた基地局と、該切替えられた基地局と該移動情報端末装置との間の通信状態であって該移動情報端末装置から該センタ側サーバへ通知されたものとを相関付けた分析内容を記録した分析記録部を有しており、該分析内容における通信状態は、電波強度の軌跡に基づき算出された移動情報端末装置の移動速度に応じて、基地局切替後の通信の安定さを集計し分析した所定の指数により表されたものであり、
前記移動情報端末装置が、所定時間測定された複数の前記移動体通信網の各基地局からの電波強度の軌跡を所定のタイミングで前記センタ側サーバへ送信する電波強度送信ステップと、選択中の基地局からの電波強度が弱くなってきた場合、前記センタ側サーバに、前記電波強度送信ステップで送信した電波強度の軌跡と相関付けられた分析記録部の分析内容を要求する分析内容要求ステップと、前記センタ側サーバが、前記分析内容要求ステップの要求に基づき、前記電波強度送信ステップで送信された電波強度の軌跡と相関付けられた分析内容を前記分析記録部から検索し、該検索された分析内容を前記移動情報端末装置側へ送信する分析内容送信ステップと、前記移動情報端末装置が、前記分析内容送信ステップで送信された分析内容に基づき、切替先の基地局を選択する基地局選択ステップと、前記基地局選択ステップで選択された基地局への切替を前記センタ側サーバへ要求する基地局切替要求ステップと、前記センタ側サーバが、前記基地局切替要求ステップで切替を要求された基地局に前記移動情報端末装置と前記情報端末装置との間の通信を切替える基地局切替ステップとを備えたことを特徴とする。
【００２８】
ここで、この発明の通信方法において、前記分析内容における通信の安定さは、基地局切替後所定時間のエラー率に基づくことができる。
【００２９】
ここで、この発明の通信方法において、前記基地局切替ステップに続き、切替えられた基地局と前記移動情報端末装置との間の通信状態を前記センタ側サーバへ通知する通知ステップをさらに備えることができる。
ここで、この発明の通信方法において、前記基地局選択ステップは、前記分析内容送信ステップで送信された分析内容から、切替えられた基地局と前記移動情報端末装置との間の通信状態が最適な電波状態の基地局を切替先の基地局として選択することができる。
【発明の効果】
【００３０】
本発明の通信システム等によれば、携帯電話器の電波強度測定部が、複数の移動体通信網の各基地局からの電波強度を所定時間測定する。基地局情報要求部は、サーバへ、各基地局に関する所定の基地局情報を要求する。移動軌跡算出部は、電波強度測定部により所定時間測定された各基地局からの電波強度と、基地局情報要求部による要求に基づきサーバにより送信された基地局情報ＤＢに記録された所定の基地局情報とに基づき、所定時間における携帯電話器の移動軌跡を所定の方式で算出する。基地局選択部は、移動軌跡算出部により算出された移動軌跡に基づき所定の基地局選択条件を満たす基地局を選択する。所定の基地局選択条件としては、移動軌跡算出部により算出された移動軌跡の延長方向へ携帯電話器が移動すると想定した場合に、その延長方向上で電波強度が最大となる基地局を選択する条件とすることが好適である。すなわち、基地局選択部は、基地局のエリアから逸脱する状態の位置において、最も電波の強い基地局ではなく、電波がこれから強くなりそうな基地局を選択する。基地局の頻繁な切替は通信品質の劣化をもたらすことになるため、電波がこれから強くなりそうな基地局を選択する方が基地局の頻繁な切替をしないで済ませることができ、通信品質を安定に保つことができる。所定の基地局選択条件としては、移動軌跡に基づいて算出された携帯電話器の移動速度に応じて、延長方向上で電波強度が最大となる基地局を選択する条件としてもよい。基地局切替要求部は基地局選択部により選択された基地局への切替をサーバへ要求する。サーバの基地局情報送信部は、基地局情報要求部による要求に基づき、基地局情報ＤＢに記録された所定の基地局情報を携帯電話器側へ送信する。基地局切替部は、基地局切替要求部により切替を要求された基地局に携帯電話器とＩＰ電話器との間の通信を切替える。以上の結果、ＭＶＮＯが複数の移動体通信網を１移動局で横断利用するという基地局の切替サービスを提供する場合、ＧＰＳユニットを搭載していない移動局の場合であってもＭＮＯが管理する移動局の位置情報を必要とせずに移動局の位置、速度および移動方向を推定することができ、最適な切替先の基地局を選択することができるという効果がある。
【発明を実施するための最良の形態】
【００３１】
以下、各実施例について図面を参照して詳細に説明する。
【実施例１】
【００３２】
図１は、本発明の実施例１における通信システム１を示す。図１において、符号５０はＩＰ（Internet Protocol）網、１２ａはルーティング機能を有しＩＰ網５０と接続されたルータ、１０ａはルータ１２ａを介してＩＰ網５０と接続された電話事業者Ａの事業者Ａ側サーバ、１４ａは事業者Ａ側サーバ１０ａと接続された電話事業者Ａの広域網等の移動体通信網、１６ａは移動体通信網１４ａに接続された基地局、２０は携帯電話器（移動情報端末装置）であり、基地局１６ａのエリア内に在圏しているものとする。ＩＰ網５０としては、例えばＩＰ−ＶＰＮ（Virtual Private Network）および広域イーサネット（登録商標）網等の閉域ＩＰ網、またはインターネット等が挙げられる。広域イーサネット（登録商標）網の動作レイヤはＯＳＩ（Open Systems Interconnection）の第２層であるため、ＩＰパケット以外のパケットでも利用可能であるが、ここではＩＰパケットを用いた場合を考えるものとする。同様に、符号１２ｂはルーティング機能を有しＩＰ網５０と接続されたルータ、１０ｂはルータ１２ｂを介してＩＰ網５０と接続された電話事業者Ｂの事業者Ｂ側サーバ、１４ｂは事業者Ｂ側サーバ１０ｂと接続された電話事業者Ｂの広域網等の移動体通信網、１６ｂは移動体通信網１４ｂに接続された基地局である。同様に、符号１２ｃはルーティング機能を有しＩＰ網５０と接続されたルータ、１０ｃはルータ１２ｃを介してＩＰ網５０と接続された電話事業者Ｃの事業者Ｃ側サーバ、１４ｃは事業者Ｃ側サーバ１０ｃと接続された電話事業者Ｃの広域網等の移動体通信網、１６ｃは移動体通信網１４ｃに接続された基地局である。続いて、符号１２ｄはルーティング機能を有しＩＰ網５０と接続されたルータ、１０ｄはルータ１２ｄを介してＩＰ網５０と接続された電話事業者Ｄの事業者Ｄ側サーバ、１４ｄは事業者Ｄ側サーバ１０ｄと接続された電話事業者Ｄの無線ＬＡＮ等の移動体通信網、１６ｄは移動体通信網１４ｄに接続されたアクセスポイントである。符号４９はルーティング機能を有しＩＰ網５０と接続されたルータ、４０はルータ４９を介してＩＰ網５０と接続されたサーバ、５２はＩＰ電話対応のルーティング機能を有しＩＰ網５０と接続されたＩＰ電話ルータ、５４はＩＰ電話ルータ５２を介してＩＰ網５０と接続されたＩＰ電話器（ＩＰ電話可能な情報端末装置）である。ＩＰ電話器５４は通常の電話器であるが、パーソナルコンピュータＰＣ等であってもよい。図１に示されるように、通信システム１は、携帯電話器２０と、複数の移動体通信網１４ａ、１４ｂ、１４ｃ、１４ｄ（以下、「移動体通信網１４ａ等」と言う。）およびＩＰ網５０を介して携帯電話器２０と通信可能なサーバ４０と、サーバ４０とＩＰ網５０を介して接続されたＩＰ電話器５４とを備えている。図１に示されるように、携帯電話器２０が在圏中の移動体通信網１４ａを除く３つの移動体通信網１４ｂ、１４ｃおよび１４ｄが携帯電話器２０の近辺に存在している。しかし、後述するように移動軌跡算出部２４は少なくとも３つの基地局からの距離に基づく三点測量により携帯電話器２０の位置を求めるため、携帯電話器２０が在圏中の移動体通信網１４ａを含む少なくとも３つの移動体通信網、例えば移動体通信網１４ｃおよび１４ｄ���携帯電話器２０の近辺に存在していればよい。
【００３３】
次に、携帯電話器２０の機能について説明する。図１において、符号２１は携帯電話器２０の機能を示す機能ブロックであり、携帯電話器２０は、電波強度測定部（電波強度測定手段）２２と、基地局情報要求部（基地局情報要求手段）２３と、移動軌跡算出部（移動軌跡算出手段）２４と、基地局選択部（基地局選択手段）２５と、基地局切替要求部（基地局切替要求手段）２６とを備えている。
【００３４】
電波強度測定部２２は、複数の移動体通信網１４ａ等の各基地局１６ａ、１６ｂ、１６ｃ、１６ｄ（以下、「基地局１６ａ等」と言う。）からの電波強度を所定時間測定する。所定時間としては例えば６〜７秒程度が好適であるが、６〜７秒程度に限定されるものではない。図２は、携帯電話器２０が基地局１６ａ等の各エリアを移動する状態を示す。図２で図１と同じ符号を付した箇所は同じ要素を示すため説明は省略する。図２において、符号１８ａ、１８ｂ、１８ｃ、１８ｄは各々基地局１６ａ等のエリアである。図２に示されるように、携帯電話器２０は矢印Ｐで示される方向に沿って位置ｐ１、ｐ２、ｐ３、ｐ４、ｐ５、ｐ６およびｐ７の順に１秒毎に移動していくものとする。図３は、携帯電話器２０が図２に示されるように移動した場合における、電波強度測定部２２が所定時間測定した基地局１６ａ等からの電波強度の変化を示す電波強度変化表６０である。図３において、符号８０は所望の時点からの経過時間を示す経過時間欄、８１、８２、８３、８４は電波強度測定部２２が測定した各々基地局１６ａ等からの電波強度を示すエリア１８ａ欄、エリア１８ｂ欄、エリア１８ｃ欄、エリア１８ｄ欄である。電波強度は相対的な電波強度指数で示されており、１が最小で１０が最大となるように割り振ってある。０は電波強度がない場合である。行６１における経過時間欄８０の値は３１秒であり、これは携帯電話器２０が所望の位置から図２に示される位置ｐ１に到着するまでの経過時間である。同様に、行６２ないし６７における経過時間欄８０の値は３２秒ないし３７秒であり、これは携帯電話器２０が図２に示される位置ｐ２ないしｐ７に到着するまでの経過時間である。図３に示されるように、例えば、行６１は携帯電話器２０が位置ｐ１に到着するまでの経過時間は３１秒であり、その時、電波強度測定部２２が測定した各基地局１６ａ等からの電波強度（電波強度指数）は、エリア１８ａ欄８１ないしエリア１８ｄ欄８４に示されるように、各々６、０、０、０である。これは携帯電話器２０が基地局１６ａからのみ電波を受けており、他の基地局１６ｂ、１６ｃ、１６ｄからは電波を受けていない状態を示す。行６２に示されるように、位置ｐ１からｐ２へ移動すると、エリア１８ｂ欄８２の値が０から１となり、携帯電話器２０は基地局１６ａだけではなく基地局１６ｂからも電波を受ける状態になったことを示す。以下同様であるため他の行６３等についての説明は省略する。
【００３５】
基地局情報要求部２３は、サーバ４０へ、各基地局１６ａ等に関する所定の基地局情報を要求する。図１に示されるように、所定の基地局情報はサーバ４０のディスク等の記録装置４４内の基地局情報データベース（ＤＢ）（基地局情報記録部）４５に記録されている。所定の基地局情報の詳細については後述する。
【００３６】
移動軌跡算出部２４は、電波強度測定部２２により所定時間測定された各基地局１６ａ等からの電波強度と、基地局情報要求部２３による要求に基づきサーバ４０により送信された基地局情報ＤＢ４５に記録された所定の基地局情報とに基づき、所定時間における携帯電話器２０の移動軌跡を所定の方式で算出する。所定の基地局情報は、各基地局１６ａ等の位置情報（位置座標）、および各基地局１６ａ等から携帯電話器２０までの距離（ｒ）と電波強度（Ｉ）との間の相関情報を含む。図４は、基地局１６ｂから携帯電話器２０までの距離（ｒ）と電波強度（Ｉ）との間の相関情報を示すグラフＩ（ｒ）である。図４で横軸は距離（ｒ）、縦軸は電波強度（Ｉ）である。図４に示されるように、携帯電話器２０側で測定されたある時点における基地局１６ｂからの電波強度（Ｉｂ）がわかると、グラフＩ（ｒ）により当該時点における基地局１６ｂから携帯電話器２０までの距離（ｒｂ）を知ることができる。他の基地局１６ａ、１６ｃおよび１６ｄに関しても同様の相関情報が所定の基地局情報に含まれている。従って、図３の電波強度変化表６０に示されるように、携帯電話器２０側で測定されたある時点（波強度変化表６０のある行）における各基地局１６ａ等からの電波強度（Ｉａ、Ｉｂ、Ｉｃ、Ｉｄ）がわかると、各グラフＩ（ｒ）により当該時点における各基地局１６ａ等から携帯電話器２０までの距離（ｒａ、ｒｂ、ｒｃ、ｒｄ）を知ることができる。移動軌跡算出部２４が所定時間における携帯電話器２０の移動軌跡を算出する所定の方式としては、上記相関情報Ｉ（ｒ）から知ることができる基地局１６ａ等から携帯電話器２０までの距離を少なくとも３つの基地局について求め、これら３つの距離に基づく三点測量で求められた携帯電話器２０の位置の軌跡により算出する方式とすることが好適である。
【００３７】
基地局選択部２５は、移動軌跡算出部２４により算出された移動軌跡に基づき所定の基地局選択条件を満たす基地局を選択する。所定の基地局選択条件としては、移動軌跡算出部２４により算出された移動軌跡の延長方向へ携帯電話器２０が移動すると想定した場合に、その延長方向上で電波強度が最大となる基地局を選択する条件とすることが好適である。図５は、所定の基地局選択条件を説明するための図である。図５で図２と同じ符号を付した箇所は同じ要素を示すため説明は省略する。図５に示されるように、位置ｐ７では携帯電話器２０と基地局１６ｂとの間の距離はｒｂ７であり、距離ｒｂ７は携帯電話器２０と基地局１６ｄとの間の距離ｒｄ７より短い。従って、基地局１６ａのエリア１８ａから逸脱する状態の位置ｐ７において携帯電話器２０で測定される電波強度は、基地局１６ｂからの方が基地局１６ｄからの方より大きい。このため、従来技術では基地局１６ａから電波状態の良い基地局１６ｂへ切替えている。これに対して基地局選択部２５は、上述のように移動軌跡算出部２４が算出した携帯電話器２０の位置の軌跡（移動軌跡）である矢印Ｐの延長方向（矢印Ｐ’で示す。）へ携帯電話器２０が移動するものと想定する。その上で、例えば延長方向Ｐ’上の位置ｐｉを考えると、位置ｐｉでは携帯電話器２０と基地局１６ｂとの間の距離はｒｂｉであり、距離ｒｂｉは携帯電話器２０と基地局１６ｄとの間の距離ｒｄｉより長い。従って、位置ｐｉでは基地局１６ｄからの電波状態の方が基地局１６ｂからの電波状態より良くなる。そこで基地局選択部２５は、基地局１６ａのエリア１８ａから逸脱する状態の位置ｐ７において、移動軌跡Ｐの延長方向Ｐ’上の位置ｐｉで電波強度が最大となる基地局１６ｄを選択する。すなわち、位置ｐ７において最も電波の強い基地局１６ｂではなく、電波がこれから強くなりそうな基地局１６ｄを選択する。図２に示されるような場合、位置ｐ７で基地局１６ｂへ切替えてもすぐに基地局１６ｃまたは１６ｄへ切替える必要が有り得る。基地局の頻繁な切替は通信品質の劣化をもたらすことになるため、上述のように、電波がこれから強くなりそうな基地局１６ｄを選択する方が基地局の頻繁な切替をしないで済ませることができ、通信品質を安定に保つことができる。
【００３８】
上述のように位置（座標）ｐ１等は３点測量により得ることができ、移動軌跡算出部２４により算出された移動軌跡Ｐは１秒毎の位置の変化であるため、基地局選択部２５はその変化率から携帯電話器２０の移動速度を得ることができる。そこで、所定の基地局選択条件としては、上述と同様に移動軌跡算出部２４により算出された移動軌跡Ｐの延長方向Ｐ’へ携帯電話器２０が移動すると想定した場合に、移動軌跡Ｐに基づいて算出された携帯電話器２０の移動速度に応じて、延長方向Ｐ’上で電波強度が最大となる基地局を選択する条件としてもよい。図２に示されるような場合、携帯電話器２０が自動車等に搭載されているようなケースでは、移動速度が速いため位置ｐ７で基地局１６ｂへ切替えてもすぐに基地局１６ｃまたは１６ｄへ切替える必要が有り得る。従って、携帯電話器２０の移動速度に応じて、電波がこれから強くなりそうな基地局を選択する方が基地局の頻繁な切替をしないで済ませることができ、通信品質を安定に保つことができる。
【００３９】
図１に戻り、基地局切替要求部２６は基地局選択部２５により選択された基地局への切替をサーバ４０へ要求する。以上の携帯電話器２０の各機能はソフトウェアにより実現することが好適であるが、一部または全部をハードウェアにより実現することも可能である。
【００４０】
次に、サーバ４０の機能について説明する。図１において、符号４１はサーバ４０の機能を示す機能ブロックであり、サーバ４０は基地局情報送信部（基地局情報送信手段）４２と、基地局切替部（基地局切替手段）４３とを備えている。基地局情報送信部４２は、基地局情報要求部２３による要求に基づき、基地局情報ＤＢ４５に記録された所定の基地局情報を携帯電話器２０側へ送信する。基地局切替部４３は、基地局切替要求部２６により切替を要求された基地局に携帯電話器２０とＩＰ電話器５４との間の通信を切替える。
【００４１】
図６は、本発明の実施例１における通信プログラムまたは通信方法の流れをフローチャートで示す。図６で左側のフローチャートは携帯電話器２０側の処理を示し、右側のフローチャートはサーバ４０側の処理を示し、両者間の通信は両フローチャート間の点線で示す。図６に示されるように、携帯電話器２０が、複数の移動体通信網１４ａ等の各基地局１６ａ等からの電波強度を所定時間測定する（電波強度測定ステップ。ステップＳ１０）。サーバ４０へ各基地局１６ａ等に関する所定の基地局情報ＢＩＮＦを要求する（基地局情報要求ステップ。ステップＳ１２）。
【００４２】
サーバ４０が、基地局情報要求ステップ（ステップＳ１２）の要求に基づき、基地局情報ＤＢ４５に記録された所定の基地局情報ＢＩＮＦを携帯電話器２０側へ送信する（基地局情報送信ステップ。ステップＳ２０）。
【００４３】
携帯電話器２０が、電波強度測定ステップ（ステップＳ１０）で所定時間測定された各基地局１６ａ等からの電波強度と基地局情報送信ステップ（ステップＳ２０）で送信された所定の基地局情報ＢＩＮＦとに基づき、所定時間における携帯電話器２０の移動軌跡を所定の方式で算出する（移動軌跡算出ステップ。ステップＳ１４）。移動軌跡算出ステップ（ステップＳ１４）で算出された移動軌跡に基づき、所定の基地局選択条件を満たす基地局を選択する（基地局選択ステップ。ステップＳ１６）。基地局選択ステップ（ステップＳ１６）で選択された基地局への切替をサーバ４０へ要求する（基地局切替要求ステップ。ステップＳ１８）。
【００４４】
サーバ４０が、基地局切替要求ステップ（ステップＳ１８）で切替を要求された基地局に携帯電話器２０とＩＰ電話器５４との間の通信を切替える（基地局切替ステップ。ステップＳ２２）。
【００４５】
以上より、本発明の実施例１によれば、携帯電話器２０の電波強度測定部２２が、複数の移動体通信網１４ａ等の各基地局１６ａ等からの電波強度を所定時間測定する。基地局情報要求部２３は、サーバ４０へ、各基地局１６ａ等に関する所定の基地局情報を要求する。移動軌跡算出部２４は、電波強度測定部２２により所定時間測定された各基地局１６ａ等からの電波強度と、基地局情報要求部２３による要求に基づきサーバ４０により送信された基地局情報ＤＢ４５に記録された所定の基地局情報とに基づき、所定時間における携帯電話器２０の移動軌跡を所定の方式で算出する。所定の基地局情報は、各基地局１６ａ等の位置情報（位置座標）、および各基地局１６ａ等から携帯電話器２０までの距離（ｒ）と電波強度（Ｉ）との間の相関情報Ｉ（ｒ）を含む。所定の方式としては、上記相関情報Ｉ（ｒ）から知ることができる基地局１６ａ等から携帯電話器２０までの距離を少なくとも３つの基地局について求め、これら３つの距離に基づく三点測量で求められた携帯電話器２０の位置の軌跡により算出する方式とすることが好適である。基地局選択部２５は、移動軌跡算出部２４により算出された移動軌跡に基づき所定の基地局選択条件を満たす基地局を選択する。所定の基地局選択条件としては、移動軌跡算出部２４により算出された移動軌跡Ｐの延長方向Ｐ’へ携帯電話器２０が移動すると想定した場合に、その延長方向Ｐ’上で電波強度が最大となる基地局を選択する条件とすることが好適である。延長方向Ｐ’上の位置ｐｉを考えると、位置ｐｉでは基地局１６ｄからの電波状態の方が基地局１６ｂからの電波状態より良くなる。そこで基地局選択部２５は、基地局１６ａのエリア１８ａから逸脱する状態の位置ｐ７において、最も電波の強い基地局１６ｂではなく、電波がこれから強くなりそうな基地局１６ｄを選択する。基地局の頻繁な切替は通信品質の劣化をもたらすことになるため、上述のように、電波がこれから強くなりそうな基地局１６ｄを選択する方が基地局の頻繁な切替をしないで済ませることができ、通信品質を安定に保つことができる。所定の基地局選択条件としては、移動軌跡Ｐに基づいて算出された携帯電話器２０の移動速度に応じて、延長方向Ｐ’上で電波強度が最大となる基地局を選択する条件としてもよい。基地局切替要求部２６は基地局選択部２５により選択された基地局への切替をサーバ４０へ要求する。サーバ４０の基地局情報送信部４２は、基地局情報要求部２３による要求に基づき、基地局情報ＤＢ４５に記録された所定の基地局情報を携帯電話器２０側へ送信する。基地局切替部４３は、基地局切替要求部２６により切替を要求された基地局に携帯電話器２０とＩＰ電話器５４との間の通信を切替える。
【００４６】
以上のように、電波強度測定部２２により複数の基地局１６ａ等から所定時間測定した電波強度とサーバ４０から送信された各基地局１６ａ等に関する所定の基地局情報とに基づき、移動軌跡算出部２４が所定時間における携帯電話器２０の移動軌跡Ｐを所定の方式で算出し、基地局選択部２５が移動軌跡Ｐの延長方向Ｐ’へ携帯電話器２０が移動すると想定した場合に、その延長方向Ｐ’上で電波強度が最大となる基地局を選択することにより、最も電波の強い基地局１６ｂではなく、電波がこれから強くなりそうな基地局１６ｄを選択することができる。このため、ＭＶＮＯが複数の移動体通信網を１移動局で横断利用するという基地局の切替サービスを提供する場合、ＧＰＳユニットを搭載していない移動局の場合であってもＭＮＯが管理する移動局の位置情報を必要とせずに移動局の位置、速度および移動方向を推定することができ、最適な切替先の基地局を選択することができる。
【実施例２】
【００４７】
実施例２では、所定の基地局情報ＢＩＮＦのような各基地局１６ａ等の位置情報が与えられない場合における、最適な切替先の基地局を選択する例について説明する。図７は、本発明の実施例２における通信システム２を示す。図７で図１と同じ符号を付した箇所は同じ要素を示すため説明は省略する。実施例１の通信システム１と同様に、通信システム２は、携帯電話器３０と、複数の移動体通信網１４ａ等およびＩＰ網５０を介して携帯電話器３０と通信可能なセンタ側サーバ９０と、センタ側サーバ９０とＩＰ網５０を介して接続されたＩＰ電話器５４とを備えている。図７では図１と同様に携帯電話器３０は移動体通信網１４ａに在圏中であるものとする。但し、通信システム２では各基地局１６ａ等の位置情報が与えられないため三点測量は使用できない。従って、実施例１と同様に移動体通信網１４ａを除く３つの移動体通信網１４ｂ、１４ｃおよび１４ｄ（このうち、移動体通信網１４ｂと１４ｃとは電話事業者が同じ）が携帯電話器２０の近辺に存在しているが、これはあくまでも便宜上の設定にすぎないものである。
【００４８】
次に、携帯電話器３０の機能について説明する。図７において、符号３１は携帯電話器３０の機能を示す機能ブロックであり、携帯電話器３０は、電波強度送信部（電波強度送信手段）３２と、分析内容要求部（分析内容要求手段）３３と、基地局選択部（基地局選択手段）３４と、基地局切替要求部（基地局切替要求手段）３５と、通知部（通知手段）３６とを備えている。
【００４９】
電波強度送信部３２は、所定時間測定された複数の移動体通信網１４ａ等の各基地局１６ａ等からの電波強度の軌跡を図７に示される携帯電話器３０の記録装置３７中の電波軌跡ログ（ファイル）３８に記録しておき、所定のタイミングでセンタ側サーバ９０へ送信（アップロード）する。所定のタイミングとしては、定期的なタイミングであることが好適である。図８は、図２と同様に携帯電話器３０が基地局１６ａ等の各エリアを移動する状態を示す。図８で図７および図２と同じ符号を付した箇所は同じ要素を示すため説明は省略する。図８は図２に示される矢印Ｐの方向と同様に位置ｐ１からｐ７へ移動した後、矢印Ｑで示される方向である位置Ｐ８からｐ１３へ１秒毎に移動していくものとする。符号Ｒは、矢印Ｐの延長方向への進行を妨げる川等の障害物を示す。図９は図３と同様に、携帯電話器３０が図８に示されるように移動した場合に、電波強度送信部３２が所定のタイミングでセンタ側サーバ９０へアップロードするために電波軌跡ログ３８に記録した基地局１６ａ等からの電波強度の変化を示す電波強度変化表７０を示す。図９で図３と同じ符号を付した欄および行は同じ意味を有するため説明は省略する。電波強度は図３の場合と同様に相対的な電波強度指数で示す。
【００５０】
ここで、センタ側サーバ９０が有する分析データベース（ＤＢ）(分析記録部)９５について先に説明する。予め複数の携帯電話器３０により所定時間測定された移動体通信網１４ａ等の基地局１６ａ等からの電波強度の軌跡（例えば、図９に示されるような電波強度変化表７０）がセンタ側サーバ９０へ送信される。さらに、当該送信後に携帯電話器３０により選択されセンタ側サーバ９０により切替えられた基地局と携帯電話器３０との間の通信状態（切替えた結果、良い通信状態か否か等を示す値）もセンタ側サーバ９０へ通知される。上記電波強度の軌跡、切替元および切替先の基地局および上記通信状態はセンタ側サーバ９０の分析部（不図示）により相関が分析されて分析ＤＢ９５に記録される。すなわち、複数の携帯電話器からアップロードされた種々の電波強度の軌跡に対し、その後選択された基地局との間の電波状態が良好であったのか悪かったのか等の通信状態がセンタ側サーバ９０へ通知され、電波強度の軌跡、切替元および切替先の基地局および通信状態と対応させて分析ＤＢ９５に記録される。後に、携帯電話器３０（または他の携帯電話器）において分析ＤＢ９５に記録されたものと同様の電波強度軌跡が測定された場合、センタ側サーバ９０へ当該電波強度軌跡の照合の問合せを行い、対応する切替元および切替先の基地局および通信状態（分析記録部の分析内容）を得ることにより、最適な電波状態を得られる基地局を選択することができる。
【００５１】
図１０は、分析ＤＢに対応付けて記録された電波強度の軌跡、切替元および切替先の基地局および通信状態の内、切替元および切替先の基地局および通信状態（分析記録部の分析内容）の一例である分析表１００を示す。分析表１００に対応する電波強度の軌跡は、例えば図９に示される電波強度変化表７０である。図１０において、符号１０４は切替元および切替先の基地局を示す基地局欄、１０５は切替えられた後の通信状態を示す通信状態欄である。通信状態は、電波強度の軌跡に基づき算出された携帯電話器３０の移動速度に応じて、電車ないし自動車相当の速度を示す高速度欄１０５ａ、自転車ないし歩行相当の速度を示す中速度欄１０５および歩行ないし静止相当の速度を示す低速度欄１０５ｃのように記録しておくことができる。センタ側サーバ９０の分析部は、移動速度を電波強度の変化率により求めることができる。分析表１００中の値は切替後の安定通信指数を示し、分析部は不安定である１から安定である１０まで割り振る。安定通信指数は、過去どの程度の速度である基地局から他の基地局へ切替えた場合、その後の通信がどの位安定していたか（例えば、切替後１分間のエラー率等）を分析部が集計し分析したものである。
【００５２】
過去において電波強度変化表６０から７０までに示されるような電波強度軌跡が測定されていたものとすると、例えば図８に示される位置ｐ７で基地局１６ａから１６ｂへ切替えた場合、分析表１００の行１０１は、携帯電話器３０の移動速度が高速度欄１０５ａに示されるような速度の時は１（不安定）であり、携帯電話器３０の移動速度が中速度欄１０５ｂに示されるような速度の時は５（比較的安定）であり、携帯電話器３０の移動速度が低速度欄１０５ｃに示されるような速度の時は８（かなり安定）であることを示している。これは図８に示されるように、位置ｐ７で携帯電話器３０の移動速度が高速度である場合、基地局１６ｂへ切替えた後、すぐに基地局１６ｃへ切替える必要があるため、通信状態は不安定であると分析部により分析されたものである。一方、位置ｐ７で携帯電話器３０の移動速度が低速度である場合、基地局１６ｂへ切替えた後、すぐに他の基地局１６ｃ等へ切替える必要はないため、通信状態はかなり安定であると分析されている。分析表１００の行１０２は、位置ｐ７で基地局１６ａから１６ｃへ切替えた場合、携帯電話器３０の移動速度による安定通信指数はあまり変化が無いことを示す。これは図８に示されるように、位置ｐ７で基地局１６ｃに切替えた場合、携帯電話器３０の移動局速度によらず基地局１６ｃに近いためであると分析部により分析されたものである。分析表１００の行１０３は、位置ｐ７で基地局１６ａから１６ｄへ切替えた場合、携帯電話器３０の移動速度によらず安定通信指数は不安定であることを示す。これは図８に示されるように、位置ｐ７で基地局１６ｄに切替えた場合、携帯電話器３０の移動局速度によらず基地局１６ｄから遠いためであると分析部により分析されたものである。
【００５３】
分析内容要求部３３は、在圏中の基地局１６ａからの電波強度が弱くなってきた場合、センタ側サーバ９０に、電波強度送信部３２により送信した電波強度の軌跡と相関付けられた分析ＤＢ９５の分析内容（分析表１００等）の送信を要求する。
【００５４】
分析内容要求部３３による要求に基づき、後述するようにセンタ側サーバ９０が、電波強度送信部３２により送信された電波強度の軌跡と相関付けられた分析内容を分析ＤＢ９５から検索する。この検索された分析内容は携帯電話器３０側へ送信され、基地局選択部３４は、この送信された分析内容に基づき、切替先の基地局を選択する。例えば、携帯電話器３０が図８に示される位置ｐ７にいる場合、分析表１００に基づき、移動速度が低いかほとんど静止している場合は基地局１６ｂを選択し、移動速度が高速である場合は基地局１６ｃを選択する。
【００５５】
基地局切替要求部３５は、基地局選択部３４により選択された基地局への切替をセンタ側サーバ９０へ要求する。通知部３６は、基地局切替部３５により切替えられた基地局と携帯電話器３０との間の通信状態をセンタ側サーバ９０へ通知する。この通知が通信状態として、先に電波強度送信部３２により送信した電波強度の軌跡と、切替元の基地局および切替先の基地局とに対応付けられて分析部による新たな分析の対象となり、分析ＤＢ９５に適宜記録されていくことが繰返されていく。以上の携帯電話器３０の各機能はソフトウェアにより実現することが好適であるが、一部または全部をハードウェアにより実現することも可能である。
【００５６】
次に、センタ側サーバ９０の機能について説明する。図７において、符号９１はセンタ側サーバ９０の機能を示す機能ブロックであり、センタ側サーバ９０は、分析内容送信部（分析内容送信手段）９２と、基地局切替部（基地局切替求手段）９３とを備えている。
【００５７】
分析内容送信部９２は、分析内容要求部３３の要求に基づき、電波強度送信部３２により送信された電波強度の軌跡と相関付けられた分析内容を分析ＤＢ９５から検索し、この検索された分析内容を携帯電話器３０側へ送信する。
【００５８】
基地局切替部９３は、基地局切替要求部３５により切替を要求された基地局に携帯電話器３０とＩＰ電話器５４との間の通信を切替える。上述の説明では、１つのセンタ側サーバ９０が通信状態送信部９２の機能と基地局切替部９３の機能とを備えているものとして説明したが、別々のサーバ、例えば、分析内容送信部９２の機能を電波強度分析サーバが備え、基地局切替部９３の機能を最適回線切替サーバが備えているものとしてもよい。
【００５９】
図１１は、本発明の実施例２における通信プログラムまたは通信方法の流れをフローチャートで示す。図１１で左側のフローチャートは携帯電話器３０側の処理を示し、右側のフローチャートはセンタ側サーバ９０の処理を示し、両者間の通信は両フローチャート間の点線で示す。図１１に示されるように、携帯電話器３０が、所定時間測定された複数の移動体通信網１４ａ等の各基地局１６ａ等からの電波強度の軌跡を所定のタイミングでセンタ側サーバ９０へ送信する（電波強度送信ステップ。ステップＳ３０）。在圏中の基地局１６ａからの電波強度が弱くなってきた場合、センタ側サーバ９０に、電波強度送信ステップ（ステップＳ３０）で送信した電波強度の軌跡と相関付けられた分析ＤＢ９５の分析内容を要求する（分析内容要求ステップ。ステップＳ３２）。
【００６０】
センタ側サーバ９０が、分析内容要求ステップ（ステップＳ３２）の要求に基づき、電波強度送信ステップ（ステップＳ３０）で送信された電波強度の軌跡と相関付けられた分析内容を分析ＤＢ９５から検索し、検索された分析内容を携帯電話器３０側へ送信する（分析内容送信ステップ。ステップＳ４０）。
【００６１】
携帯電話器３０が、分析内容送信ステップ（ステップＳ４０）で送信された分析内容に基づき、切替先の基地局を選択する（基地局選択ステップ。ステップＳ３４）。基地局選択ステップ（ステップＳ３４）で選択された基地局への切替をセンタ側サーバ９０へ要求する（基地局切替要求ステップ。ステップＳ３６）。
【００６２】
センタ側サーバ９０が、基地局切替要求ステップ（ステップＳ３６）で切替を要求された基地局に携帯電話器３０とＩＰ電話器５４との間の通信を切替える（基地局切替ステップ。ステップＳ４２）。
【００６３】
携帯電話器３０が、切替えられた基地局と携帯電話器３０との間の通信状態を通知する（通知ステップ。ステップＳ３８）。
【００６４】
以上より、本発明の実施例２によれば、所定の基地局情報のような各基地局１６ａ等の位置情報が与えられない場合、予め複数の携帯電話器３０により所定時間測定された移動体通信網１４ａ等の基地局１６ａ等からの電波強度の軌跡をセンタ側サーバ９０へ送信しておく。当該送信後に携帯電話器３０により選択されセンタ側サーバ９０により切替えられた基地局と携帯電話器３０との間の通信状態もセンタ側サーバ９０へ通知する。上記電波強度の軌跡、切替元および切替先の基地局および上記通信状態は相関が分析されて分析ＤＢ９５に記録されている。後に、携帯電話器３０（または他の携帯電話器）において分析ＤＢ９５に記録されたものと同様の電波強度軌跡が測定された場合、センタ側サーバ９０へ当該電波強度軌跡の照合の問合せを行い、対応する切替元および切替先の基地局および通信状態（分析記録部の分析内容）を得ることにより、最適な電波状態を得ることができる基地局を選択する際の参考として用いることができる。
【００６５】
携帯電話器３０の電波強度送信部３２は、所定時間測定された複数の移動体通信網１４ａ等の各基地局１６ａ等からの電波強度の軌跡を図７に示される携帯電話器３０の記録装置３７中の電波軌跡ログ３８に記録しておき、所定のタイミングでセンタ側サーバ９０へアップロードする。分析内容要求部３３は、在圏中の基地局１６ａからの電波強度が弱くなってきた場合、センタ側サーバ９０に、電波強度送信部３２により送信した電波強度の軌跡と相関付けられた分析ＤＢ９５の分析内容（分析表１００等）の送信を要求する。分析内容要求部３３による要求に基づき、センタ側サーバ９０が、電波強度送信部３２により送信された電波強度の軌跡と相関付けられた分析内容を分析ＤＢ９５から検索する。この検索された分析内容は携帯電話器３０側へ送信され、基地局選択部３４は、この送信された分析内容に基づき、切替先の基地局を選択する。基地局切替要求部３５は、基地局選択部３４により選択された基地局への切替をセンタ側サーバ９０へ要求する。センタ側サーバ９０の基地局切替部９３は、基地局切替要求部３５により切替を要求された基地局に携帯電話器３０とＩＰ電話器５４との間の通信を切替える。通知部３６は、基地局切替部３５により切替えられた基地局と携帯電話器３０との間の通信状態をセンタ側サーバ９０へ通知する。以上のように、電波強度の軌跡と相関付けられた分析内容を分析ＤＢ９５に記録しておき、後に、携帯電話器３０で分析ＤＢ９５に記録されたものと同様の電波強度軌跡が測定された場合、センタ側サーバ９０から対応する分析内容を得ることにより、各基地局１６ａ等の位置情報が与えられない場合であっても、最適な電波状態を得ることができる基地局を選択することができる。このため、ＭＶＮＯが複数の移動体通信網を１移動局で横断利用するという基地局の切替サービスを提供する場合、ＧＰＳユニットを搭載していない移動局の場合であってもＭＮＯが管理する移動局の位置情報を必要とせずに移動局の位置、速度および移動方向を推定することができ、最適な切替先の基地局を選択することができる。
【実施例３】
【００６６】
実施例１で説明した通信システム１と実施例２で説明した通信システム２とは併用することが可能である。例えば、基地局１６ａ等の位置情報が与えられた場合、通信システム１で説明したように切替先の基地局を選択し、続いて、通信システム２で説明したように分析内容（分析表１００等）を得る。ここで、安定通信指数が極めて高い切替先の基地局がある場合は、通信システム２で説明した方法で当該基地局を選択する。一方、安定通信指数がいずれも同じような値の場合は、通信システム１で説明した方法で基地局を選択することができる。
【実施例４】
【００６７】
図１２は、上述した各実施例を実現するための本発明のコンピュータ・プログラムを実行する携帯電話器２０または３０、サーバ４０または９０等のコンピュータの内部回路１１０を示すブロック図である。図１２に示されるように、ＣＰＵ１１１、ＲＯＭ１１２、ＲＡＭ１１３、画像制御部１１６、コントローラ１１７、入力制御部１１９および外部インタフェース（Ｉ／Ｆ）部１２１はバス１２２に接続されている。図１２において、上述の本発明のコンピュータ・プログラムは、ＲＯＭ１１２、ディスク１１８ａ（または４４）またはＣＤ−ＲＯＭ１１８ｎ等の記録媒体（脱着可能な記録媒体を含む）に記録されている。携帯電話２０または３０の場合、ディスク１１８ａには基地局情報ＤＢ４５または分析ＤＢ９５を記録しておくことができる。本発明のコンピュータ・プログラムは、ＲＯＭ１１２からバス１２２を介し、またはディスク１１８ａ若しくはＣＤ−ＲＯＭ１１８ｎ等の記録媒体からコントローラ１１７を経由してバス１２２を介しＲＡＭ１１３へロードされる。入力制御部１１９は、サーバ４０または９０の場合はマウス、テンキー等の入力操作部１２０と、携帯電話２０または３０の場合は各種のキー等の入力操作部１２０と接続され入力制御等を行う。画像メモリであるＶＲＡＭ１１５は携帯電話２０または３０あるいはサーバ４０または９０の表示部１１４の少なくとも一画面分のデータ容量に相当する容量を有しており、画像制御部１１６はＶＲＡＭ１１５のデータを画像データへ変換して表示部１１４へ送出する機能を有している。外部Ｉ／Ｆ部１２１は、移動体通信網１４ａ等、ＩＰ網５０等との間の入出力インタフェース機能を有する。
【００６８】
上述のようにＣＰＵ１１１が上述の本発明のコンピュータ・プログラムを実行することにより、本発明の目的を達成することができる。当該コンピュータ・プログラムは上述のようにＣＤ−ＲＯＭ１１８ｎ等の記録媒体の形態でコンピュータＣＰＵ１１１に供給することができ、当該コンピュータ・プログラムを記録したＣＤ−ＲＯＭ１１８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００６９】
本発明の活用例として、ＭＶＮＯによるＭＮＯの複数の移動体通信網を１移動局で横断利用するという基地局の切替サービスへの応用が挙げられる。
【図面の簡単な説明】
【００７０】
【図１】本発明の実施例１における通信システム１を示す図である。
【図２】携帯電話器２０が基地局１６ａ等の各エリアを移動する状態を示す図である。
【図３】携帯電話器２０が図２に示されるように移動した場合における、電波強度測定部２２が所定時間測定した基地局１６ａ等からの電波強度の変化を示す電波強度変化表６０である。
【図４】基地局１６ｂから携帯電話器２０までの距離（ｒ）と電波強度（Ｉ）との間の相関情報を示すグラフＩ（ｒ）である。
【図５】所定の基地局選択条件を説明するための図である。
【図６】本発明の実施例１における通信プログラムまたは通信方法の流れを示すフローチャートである。
【図７】本発明の実施例２における通信システム２を示す図である。
【図８】図２と同様に携帯電話器３０が基地局１６ａ等の各エリアを移動する状態を示す図である。
【図９】図３と同様に、携帯電話器３０が図８に示されるように移動した場合に、電波強度送信部３２が所定のタイミングでセンタ側サーバ９０へアップロードするために、電波軌跡ログ３８に記録した基地局１６ａ等からの電波強度の変化を示す電波強度変化表７０を示す図である。
【図１０】分析ＤＢに対応付けて記録された電波強度の軌跡、切替元および切替先の基地局および通信状態の内、切替元および切替先の基地局および通信状態の一例である分析表１００を示す図である。
【図１１】本発明の実施例２における通信プログラムまたは通信方法の流れを示すフローチャートである。
【図１２】上述した各実施例を実現するための本発明のコンピュータ・プログラムを実行する携帯電話器２０または３０、サーバ４０または９０等のコンピュータの内部回路１１０を示すブロック図である。
【符号の説明】
【００７１】
１、２  通信システム、  １０ａ  事業者Ａ側サーバ、１０ｂ  事業者Ｂ側サーバ、  １０ｃ  事業者Ｃ側サーバ、  １０ｄ  事業者Ｄ側サーバ、  １２ａ、１２ｂ、１２ｃ、１２ｄ、４９  ルータ、  １４ａ、１４ｂ、１４ｃ、１４ｄ  移動体通信網、  １６ａ、１６ｂ、１６ｃ  基地局、  １６ｄ  アクセスポイント、  １８ａ、１８ｂ、１８ｃ、１８ｄ  エリア、  ２０、３０  携帯電話器、  ２１、３１、４１、９１  機能ブロック、  ２２  電波強度測定部、  ２３  基地局情報要求部、  ２４  移動軌跡算出部、  ２５、３４  基地局選択部、  ２６、３５  基地局切替要求部、  ３２  電波強度送信部、  ３３  分析内容要求部、  ３６  通知部、  ３７、４４、９４  記録装置、  ３８  電波軌跡ログ、  ４０  サーバ、  ４２  基地局情報送信部、  ４３、９３  基地局切替部、  ４５  基地局情報ＤＢ、  ５０  ＩＰ網、  ５２  ＩＰ電話ルータ、  ５４  ＩＰ電話器、  ６０、７０  電波強度変化表、  ６１、６２、６３、６４、６５、６７、６８、６９、７０、７１、７２、７３、１０１、１０２、１０３  行、  ８０  経過時間欄、  ８１  エリア１８ａ欄、  ８２  エリア１８ｂ欄、  ８３  エリア１８ｃ欄、  ８４  エリア１８ｄ欄、  ９０  センタ側サーバ、  ９２  分析内容送信部、  １００  分析表、  １０５ａ  高速度欄、  １０５ｂ  中速度欄、  １０５ｃ  低速度欄、  １１０  内部回路、  １１１  ＣＰＵ、  １１２  ＲＯＭ、  １１３  ＲＡＭ、  １１４  表示部、  １１５  ＶＲＡＭ、  １１６  画像制御部、  １１７  コントローラ、  １１８ａ  ディスク、  １１８ｎ  ＣＤ−ＲＯＭ、  １１９  入力制御部、  １２０  入力操作部、  １２１  外部Ｉ／Ｆ部、  １２２  バス。
【図１】
0004514156.tif 000002
【図２】
0004514156.tif 000003
【図３】
0004514156.tif 000004
【図４】
0004514156.tif 000005
【図５】
0004514156.tif 000006
【図６】
0004514156.tif 000007
【図７】
0004514156.tif 000008
【図８】
0004514156.tif 000009
【図９】
0004514156.tif 000010
【図１０】
0004514156.tif 000011
【図１１】
0004514156.tif 000012
【図１２】
0004514156.tif 000013